(57)【要約】【課題】カンファレンスの準備、進行を簡便に行うことができる医療カンファレンス支援システムを提供する。【解決手段】画像情報を保存する画像システムからカンファレンス対象となる画像情報を取得する画像取得部と、検査または治療のレポートに関するレポート情報を保存するレポートシステムからカンファレンス対象となるレポート情報を取得するレポート取得部と、画像情報に基づく画像を表示するための画像表示領域に画像取得部が取得した画像情報に基づく画像を表示し、レポート情報に基づくレポートを表示するためのレポート表示領域にレポート取得部が取得したレポート情報に基づくレポートを表示する表示制御部と、を備えた。画像表示領域に表示される画像は、画像システムに保存された画像情報に基づく画像のうち、画像表示領域に表示する画像として予め登録された特定画像である。【選択図】  図７
2018185674.tif 000002
【特許請求の範囲】
【請求項１】
医用デジタル画像情報を保存する画像システムからカンファレンス対象となる前記医用デジタル画像情報を取得する画像取得部と、
検査または治療のレポートに関するレポート情報を保存するレポートシステムからカンファレンス対象となる前記レポート情報を取得するレポート取得部と、
前記医用デジタル画像情報に基づく画像を表示するための画像表示領域に前記画像取得部が取得した前記医用デジタル画像情報に基づく画像を表示し、前記レポート情報に基づくレポートを表示するためのレポート表示領域に前記レポート取得部が取得した前記レポート情報に基づくレポートを表示する表示制御部と、を備え、
前記画像表示領域に表示される画像は、前記画像システムに保存された前記医用デジタル画像情報に基づく画像のうち、前記画像表示領域に表示する画像として予め登録された特定画像である、医療カンファレンス支援システム。
【請求項２】
前記レポート表示領域に表示されるレポートは、前記レポートシステムに保存された前記レポート情報に基づくレポートのうち、前記レポート表示領域に表示する情報として予め設定された項目に関する情報である請求項１記載の医療カンファレンス支援システム。
【請求項３】
前記レポートに対するコメントの入力を受け付けるコメント入力受付部と、
入力された前記コメントに基づくコメント情報を前記レポートシステムに登録するよう要求するコメント作成要求部と、をさらに備えた請求項１または２記載の医療カンファレンス支援システム。
【請求項４】
カンファレンスの予定に関する情報を記憶する予定記憶部をさらに備え、
前記カンファレンスの予定に関する情報は、前記画像システムまたは前記レポートシステムを介して入力され、前記カンファレンス予定記憶部に記憶される請求項１から３のいずれか１項記載の医療カンファレンス支援システム。
【発明の詳細な説明】
【技術分野】
【０００１】
本発明は、医療カンファレンスの支援システムに関する。
【背景技術】
【０００２】
医療業界では複数の医療従事者による医療カンファレンスが日常的に実施されている。カンファレンスを実施する目的には、患者に対する診断や治療方針を策定することや、実施した医療行為に関する情報を共有すること、患者の態様に問題が生じたときにその問題に対して意見交換や指摘をすることなど様々なものがある。
【０００３】
医師は、カンファレンス対象となる患者を事前に選定し，その患者に対してカンファレンスの目的に合った資料を事前に準備する必要がある。医師は、患者に対して作成された医用デジタル画像や検査録などの医療情報をもとにカンファレンスの資料を作成する。
ここで、医用デジタル画像や検査録などの医療情報は、その情報の種類に応じて適した様々なシステムにより管理されている（例えば、特許文献１参照）。
【先行技術文献】
【特許文献】
【０００４】
【特許文献１】特開２００８−９０１０１号公報
【発明の概要】
【発明が解決しようとする課題】
【０００５】
カンファレンスにおいては、カンファレンス対象の患者に関する医療情報を参加者間で参照しながら進められる。医療情報は、全ての参加者が同時に参照可能なように、スクリーンにプロジェクターなどで投影されたり、大型モニタに表示されたりする。カンファレンスは、画面上の医療情報を患者毎に順次送りながら進行する。
【０００６】
ここで、上述の通り、カンファレンスに必要な医療情報の一つである、撮影された多数の医用デジタル画像は、サーバに保存されている。また、カンファレンスでは、多数の画像から必要となる画像だけが対象となる。このため、不要となる画像が含まれた医用情報では、カンファレンスのスムーズな進行に支障を来す。
【０００７】
本発明はこのような事情を考慮してなされたもので、カンファレンスの準備、進行を簡便に行うことができる医療カンファレンス支援システムを提供することを目的とする。
【課題を解決するための手段】
【０００８】
本発明に係る医療カンファレンス支援システムは、上述した課題を解決するために、医用デジタル画像情報を保存する画像システムからカンファレンス対象となる前記医用デジタル画像情報を取得する画像取得部と、検査また治療のレポートであるレポート情報を保存するレポートシステムからカンファレンス対象となる前記レポート情報を取得するレポート取得部と、前記医用デジタル画像情報に基づく画像を表示するための画像表示領域に前記画像取得部が取得した前記医用デジタル画像情報に基づく画像を表示し、前記レポート情報に基づくレポートを表示するためのレポート表示領域に前記レポート取得部が取得した前記レポート情報に基づくレポートを表示する表示制御部と、を備え、前記画像表示領域に表示される画像は、前記画像システムに保存された前記医用デジタル画像情報に基づく画像のうち、前記画像表示領域に表示する画像として予め登録された特定画像である。
【発明の効果】
【０００９】
本発明に係る医療カンファレンス支援システムにおいては、カンファレンスの準備、進行を簡便に行うことができる。
【図面の簡単な説明】
【００１０】
【図１】医療カンファレンス支援システムおよびそれに付随するシステムなどを示すシステム構成図。
【図２】クライアント装置のハードウェア構成を示す図。
【図３】カンファレンス予定登録処理を説明するためのフローチャート。
【図４】（ａ）はレポートクライアントが表示する患者検査情報の一例を示す説明図、（ｂ）はカンファレンス支援クライアントが表示するカンファレンス予定情報の一例を示す説明図。
【図５】カンファレンス予定変更処理を説明するためのフローチャート。
【図６】カンファレンス支援クライアントが表示するカンファレンス予定情報の一例を示す説明図。
【図７】特定画像登録処理を説明するためのフローチャート。
【図８】カンファレンス画面表示処理を説明するためのフローチャート。
【図９】カンファレンス支援クライアントが表示するカンファレンス予定情報の一例を示す説明図。
【図１０】カンファレンス支援クライアントが表示するカンファレンス画面の一例を示す説明図。
【発明を実施するための形態】
【００１１】
本発明に係る医療カンファレンス支援システムの一実施形態を添付図面に基づいて説明する。本実施形態においては、主に循環器内科において実施されるカンファレンスを支援するためのシステムを例にして説明するが、本発明はこれに限定されるものではない。
【００１２】
図１は、医療カンファレンス支援システムおよびそれに付随するシステムなどを示すシステム構成図である。
【００１３】
医療カンファレンス支援システムは、カンファレンス支援サーバ装置１１と、カンファレンス支援データベース（ＤＢ）１２と、クライアント装置２と、を有している。カンファレンス支援サーバ装置１１と、クライアント装置２と、カンファレンス支援ＤＢ１２は、ネットワーク３を介して接続している。
【００１４】
カンファレンス支援サーバ装置１１は、画像取得部２１と、レポート取得部２２と、予定管理部２３と、コメント作成要求部２４と、を有している。画像取得部２１は、医用デジタル画像情報（画像情報）を管理する画像サーバ装置５（画像システム）からカンファレンス対象となる画像情報を取得する。レポート取得部２２は、検査または治療のレポートに関するレポート情報を保存するレポートサーバ装置８（レポートシステム）からカンファレンス対象となるレポート情報を取得する。予定管理部２３は、クライアント装置２からの要求に基づいて、カンファレンス支援ＤＢ１２にカンファレンスの予定を登録する。また、予定管理部２３は、カンファレンス支援ＤＢ１２から抽出したカンファレンス予定情報をクライアント装置２へ送信する。コメント作成要求部２４は、コメント情報をレポートシステムに登録するようレポートサーバ装置８に要求する。
【００１５】
カンファレンス支援ＤＢ１２は、予定記憶部２７を有している。予定記憶部２７は、カンファレンス支援サーバ装置１１の予定管理部２３から送信されたカンファレンスの予定に関する情報（カンファレンス予定情報）を記憶する。すなわち、画像システムまたはレポートシステムを介して入力されたカンファレンス予定情報を記憶する。
【００１６】
クライアント装置２は、ソフトウェアを実行することによりカンファレンス支援クライアント１３として機能する。カンファレンス支援クライアント１３は、予定情報要求部３１と、画像・レポート要求部３２と、コメント作成要求部３４と、表示制御部３５と、入力受付部３６とを有している。予定情報要求部３１は、入力受付部３６を介してユーザより指示を受け付けた所要のカンファレンス予定情報をカンファレンス支援サーバ装置１１に要求する。また、予定情報要求部３１は、カンファレンスの予定の変更をカンファレンス支援サーバ装置１１に要求する。画像・レポート要求部３２は、入力受付部３６を介してユーザより指示を受け付けた所要の画像情報またはレポート情報をカンファレンス支援サーバ装置１１に要求する。コメント作成要求部３４は、ユーザより受け付けたコメントに基づくコメント情報をレポートに追加する指示に基づいて、入力されたコメントに基づくコメント情報をレポートシステムに登録するようカンファレンス支援サーバ装置１１に要求する。表示制御部３５は、画像情報およびレポート情報を含む各種情報の表示装置６５（後述）上への表示を制御する。入力受付部３６は、入力装置６６（後述）を介して入力された情報を受け付け処理する。なお、カンファレンス支援クライアント１３は、ｗｅｂアプリケーションで構築され、例えば院内各所のコンピュータであるクライアント装置２から利用可能であるのが好ましい。
【００１７】
クライアント装置２は、外部表示装置４と接続されている。外部表示装置４は、カンファレンスの参加者に向けた大型表示装置やプロジェクターである。
【００１８】
ネットワーク３は、カンファレンス支援システムの他に、画像システムと、レポートシステムとを接続する。画像システムは、画像サーバ装置５と、画像ＤＢ６と、画像閲覧クライアント７とを有している。レポートシステムは、レポートサーバ装置８と、レポートＤＢ９と、レポートクライアント１０とを有している。なお、図１および以下の説明において、画像システムおよびレポートシステムについては、本実施形態におけるカンファレンス支援システムに関連する機能を主に説明する。
【００１９】
画像サーバ装置５は、主に、例えばコンピュータ断層撮影装置、磁気共鳴診断装置、デジタルＸ線撮影装置、超音波診断装置などの撮影装置により送信された画像情報（DICOM形式やＪＰＥＧ形式の画像）を、画像ＤＢ６に記憶する。また、画像サーバ装置５は、画像抽出部４１と、マーカ設定部４２とを有している。画像抽出部４１は、画像閲覧クライアント７およびカンファレンス支援サーバ装置１１の要求に基づいて画像ＤＢ６から所要の画像情報を抽出し、送信する。マーカ設定部４２は、画像閲覧クライアント７のマーカ設定要求部４７の要求に基づいて、画像ＤＢ６にマーカに関する情報（マーカ情報）（後述）を記憶する。画像ＤＢ６は、画像記憶部４３と、マーカ記憶部４４とを有している。画像記憶部４３は、撮影装置から送信された画像情報を記憶する。マーカ記憶部４４は、マーカ設定部４２から送信されたマーカ情報を記憶する。クライアント装置２は、ソフトウェアを実行することにより画像閲覧クライアント７として機能する。画像閲覧クライアント７は、画像要求部４５と、予定登録要求部４６と、マーカ設定要求部４７と、表示制御部４８と、入力受付部４９とを有している。画像要求部４５は、ユーザより閲覧を要求された画像情報を、画像サーバ装置５に要求し取得する。予定登録要求部４６は、ユーザより入力を受け付けたカンファレンス予定情報をカンファレンス支援サーバ装置１１に送信する。マーカ設定要求部４７は、ユーザより入力を受け付けたマーカ情報を画像サーバ装置５に送信する。表示制御部４８は、画像情報に基づく画像を含む各種情報の表示装置６５上への表示を制御する。入力受付部４９は、入力装置６６を介して入力された情報を受け付け処理する。
【００２０】
レポートシステムのレポートサーバ装置８は、主に、レポートクライアント１０を介してユーザにより作成された心臓血管カテーテルレポートなどのレポートをレポート情報として管理する。循環器内科においては、レポートは、検査に関するもの（検査録）と、治療に関するもの（診療録）の２種類がある。検査のレポートは、検査の結果に基づいて、治療方針を決定するためのレポートである。治療のレポートは、治療の結果を記録したレポートである。また、カンファレンスは、検査のレポートに基づいて実施されるものと、治療のレポートに基づいて実施されるものの２種類がある。検査のレポートに基づいて実施されるカンファレンスは、検査に基づいて治療方針を決定するために実施される。治療のレポートに基づいて実施されるカンファンレンスは、治療の結果を議論するために実施される。ここで、「治療」は、検査が実施されたことを受けて検査のレポートが作成され、さらに検査のレポートに基づいて実施されるカンファレンスを経た後に実施されるものである。また、「治療のレポート」は、治療が実施された際（実施された後）に作成されるレポートである。本実施形態においては、検査のレポートおよび検査という場合には、治療のレポートおよび治療をそれぞれ含むものとする。
【００２１】
レポートサーバ装置８は、レポート抽出部５１と、コメント作成部５２とを有している。レポート抽出部５１は、レポートクライアント１０およびカンファレンス支援サーバ装置１１の要求に基づいてレポートＤＢ９から所要のレポート情報を抽出し、送信する。コメント作成部５２は、カンファレンス支援クライアント１３の要求に基づいて既存のレポート情報にコメント情報を追加する。レポートＤＢ９は、レポートクライアント１０で作成されたレポート情報を記憶するレポート記憶部５４を有している。クライアント装置２は、ソフトウェアを実行することによりレポートクライアント１０として機能する。レポートクライアント１０は、レポート要求部５５と、予定登録要求部５６と、表示制御部５７と、入力受付部５８とを有している。レポート要求部５５は、ユーザより要求されたレポート情報を、レポートサーバ装置８に要求し取得する。予定登録要求部５６は、ユーザより入力を受け付けたカンファレンス予定情報をカンファレンス支援サーバ装置１１に送信する。表示制御部５７は、レポート情報に基づくレポートを含む各種情報の表示装置６５上への表示を制御する。入力受付部５８は、入力装置６６を介して入力された情報を受け付け処理する。
【００２２】
本実施形態においては、カンファレンス支援サーバ装置１１、画像サーバ装置５、およびレポートサーバ装置８を独立した構成として説明したが、共通のサーバ装置で実現してもよい。カンファレンス支援ＤＢ１２、画像ＤＢ６、およびレポートＤＢ９についても同様である。
【００２３】
図２は、クライアント装置２のハードウェア構成を示す図である。
【００２４】
クライアント装置２は、ＣＰＵ６１と、ＲＯＭ６２と、ＲＡＭ６３と、ＨＤＤ６４と、表示装置６５と、入力装置６６と、ネットワークＩ／Ｆ部６７とを有している。ＣＰＵ６１は、ＲＯＭ６２に記憶された制御プログラムを読み出して各種処理を実行する。ＲＡＭ６３は、ＣＰＵ６１の主メモリ、ワークエリアなどの一時記憶領域として用いられる。ＨＤＤ６４は、画像データや各種プログラムなど各種情報を記憶する。なお、クライアント装置２の機能や処理は、ＣＰＵ６１がＲＯＭ６２またはＨＤＤ６４に格納されているプログラムを読み出し、このプログラムを実行することにより実現されるものである。表示装置６５は、各種情報を表示する。入力装置６６は、表示装置６５に表示されたユーザインターフェースの操作やカンファレンス支援クライアント１３、画像閲覧クライアント７、およびレポートクライアント１０への入力を行うためのデバイスである。入力装置６６は、例えばマウスに相当するポインティングデバイス、文字入力のためのキーボードである。ネットワークＩ／Ｆ部６７は、ネットワークを介してカンファレンス支援サーバ装置１１などの外部装置との通信処理を行う。ネットワークＩ／Ｆ部６７は、有線および無線により外部装置と通信することができる。なお、カンファレンス支援サーバ装置１１、画像サーバ装置５、およびレポートサーバ装置８のハードウェア構成は、クライアント装置２のハードウェア構成と同様である。ただし、これらサーバ装置１１、５、８は、表示装置６５を備えなくともよい。
【００２５】
次に、本実施形態におけるカンファレンス支援システムにより実行される第１から第４の処理について順に説明する。第１の処理は、カンファレンスの予定を登録するための処理である。第２の処理は、カンファレンスの予定を変更するための処理である。第３の処理は、カンファレンス画面に表示される特定画像を登録するための処理である。第４の処理は、カンファレンス画面を表示するための処理である。
【００２６】
まず、第１の処理であるカンファレンスの予定を登録するための処理を説明する。図３は、カンファレンス予定登録処理を説明するためのフローチャートである。このカンファレンス予定登録処理は、主に、レポートクライアント１０または画像閲覧クライアント７がユーザよりカンファレンス予定の入力を受け付け、カンファレンス支援サーバ装置１１を介してカンファレンス支援ＤＢ１２に登録する処理である。以下の説明においては、レポートクライアント１０が予定の登録を受け付ける例を説明する。画像閲覧クライアント７が予定の登録を受け付ける例の説明は、レポートクライアント１０が予定の登録を受け付ける例とほぼ同様であるため省略する。
【００２７】
ステップＳ１において、レポートクライアント１０の入力受付部５８は、ユーザより患者の検査に関する情報（患者検査情報）の検索を受け付ける。例えば、入力受付部５８は、特定の期間に含まれる患者検査情報（患者名、検査日など）の検索を受け付ける。また、入力受付部５８は、特定の患者検査情報の検索や、特定の日付に実施された患者検査情報の検索など、種々の条件で検索を受け付けてもよい。ステップＳ２において、レポート要求部５５は、検索で指定された患者検査情報をレポートサーバ装置８へ要求する。ステップＳ３において、レポートサーバ装置８のレポート抽出部５１は、該当する患者検査情報を抽出し、レポートクライアント１０に送信する。ステップＳ４において、レポートクライアント１０の表示制御部５７は、取得した患者検査情報を表示装置６５に表示する。図４（ａ）は、レポートクライアント１０が表示する患者検査情報の一例を示す説明図である。レポートクライアント１０は、例えば取得した患者検査情報である患者名（患者Ｏ、患者Ｐ）と、検査日（検査日Ａ、検査日Ｂ）を「検査一覧」として一覧表示する。
【００２８】
なお、ステップＳ１からステップＳ４は、レポートクライアント１０および画像閲覧クライアント７に通常設けられた、レポート情報および画像情報を閲覧するための機能であり、ステップＳ５以降の処理（カンファレンス予定情報の登録処理）は、これら情報を閲覧中に実施することができる。
【００２９】
ステップＳ５において、予定登録要求部５６は、表示されている患者検査情報を介して、ユーザよりカンファレンス予定情報の登録を受け付ける。例えば、図４（ａ）において、予定登録要求部５６は、ユーザが「患者Ｐ  検査日Ｂ」を選択し、該当するレポート情報を表示した上で、カンファレンスの予定日を登録する所定の指示を入力することにより、カンファレンス予定情報の登録を受け付ける。カンファレンスの予定日を登録する指示は、例えば、レポートクライアント１０などに設けられた「カンファレンスの指定」機能（メニュー項目や、ボタンなど）から受け付けることができる。また、カンファレンス予定情報は、患者の識別情報（患者ＩＤなど）、その患者の検査（検査日）、カンファレンスが予定された日付（年月日）や、カンファレンスの順番に関する情報である。ステップＳ６において、予定登録要求部５６は、カンファレンス予定情報の登録をカンファレンス支援サーバ装置１１の予定管理部２３に要求する。ステップＳ７において、予定管理部２３は、カンファレンス支援ＤＢ１２の予定記憶部２７にカンファレンス予定情報を登録する。予定記憶部２７に登録（記憶）されたカンファレンス予定情報は、カンファレンス支援クライアント１３を介してユーザに提供される。図４（ｂ）は、カンファレンス支援クライアント１３が表示するカンファレンス予定情報の一例を示す説明図である。カンファレンス支援クライアント１３は、例えば特定の日付（例えば○月×日）に予定された患者検査情報である検査日（検査日Ｂ、検査日Ｃ）と、患者名（患者Ｐ、患者Ｒ）と、症例名（症例：AoG、症例：PCI）を、「カンファレンス一覧」として一覧表示する。
【００３０】
なお、カンファレンスの予定は、カンファレンス支援クライアント１３より登録を受け付けるようにしてもよい。
【００３１】
次に、第２の処理であるカンファレンスの予定を変更するための処理を説明する。図５は、カンファレンス予定変更処理を説明するためのフローチャートである。このカンファレンス予定変更処理は、主に、カンファレンス支援クライアント１３がユーザよりカンファレンス予定の変更の入力を受け付け、カンファレンス支援サーバ装置１１がカンファレンス支援ＤＢ１２に登録する処理である。
【００３２】
ステップＳ１１において、カンファレンス支援クライアント１３の入力受付部３６は、ユーザよりカンファレンス予定情報の検索を受け付ける。例えば、入力受付部３６は、指定した日付や月に含まれる患者検査情報の一覧や、特定の患者のカンファレンス予定情報の検索を受け付ける。ステップＳ１２において、予定情報要求部３１は、検索で指定されたカンファレンス予定情報をカンファレンス支援サーバ装置１１へ要求する。ステップＳ１３において、カンファレンス支援サーバ装置１１の予定管理部２３は、カンファレンス支援ＤＢ１２より該当するカンファレンス予定情報を抽出する。ステップＳ１４において、予定管理部２３は、抽出したカンファレンス予定情報をカンファレンス支援クライアント１３に送信する。ステップＳ１５において、カンファレンス支援クライアント１３の表示制御部３５は、取得したカンファレンス予定情報を表示装置６５に表示する。図６は、カンファレンス支援クライアント１３が表示するカンファレンス予定情報の一例を示す説明図である。カンファレンス支援クライアント１３は、カンファレンス予定情報（カンファレンス予定日、検査日、患者名）を例えばカレンダー１００上で一覧表示することにより、視認性を高めることができる。また、カンファレンス支援クライアント１３は、カンファレンス予定情報をカンファレンスが行われる科（循環器科、脳神経内科、脳外科）ごとに表示するために、カンファレンス予定情報をフィルタリングできる機能を有していてもよい。この機能は、例えば科の名称が表示されたボタン１０１、１０２、１０３を介して選択を受け付けることで、実行されるようにしてもよい。
【００３３】
また、カンファレンス支援クライアント１３を使用するユーザ（例えばカンファレンス支援クライアント１３にログインするユーザ）に応じて、カレンダー１００に表示されるカンファレンス予定情報をフィルタリングできる機能を有していてもよい。
【００３４】
ステップＳ１６において、入力受付部３６は、ユーザよりカンファレンスの予定を変更する指示を受け付ける。例えば、入力受付部３６は、入力装置６６の一例であるマウスを介して、図６のカレンダー１００上のカンファレンス予定情報（検査日と患者名）を変更後の日付へドラッグする操作を受け付けることにより、指示を受け付ける。ステップＳ１７において、予定情報要求部３１は、カンファレンス予定情報の変更を予定管理部２３に要求する。ステップＳ１８において、予定管理部２３は、カンファレンス支援ＤＢ１２に変更されたカンファレンス予定情報を登録する。
【００３５】
次に、第３の処理であるカンファレンス画面に表示される特定画像を登録するための処理を説明する。図７は、特定画像登録処理を説明するためのフローチャートである。この特定画像登録処理は、主に、画像閲覧クライアント７がユーザより特定画像としての画像情報にマーカを設定するための入力を受け付け、画像サーバ装置５が画像ＤＢ６にマーカ情報を登録する処理である。
【００３６】
ステップＳ２１において、画像閲覧クライアント７の入力受付部４９は、ユーザより画像情報を検索する旨の指示を受け付ける。例えば、入力受付部４９は、特定の期間に含まれる患者の検査に関する画像情報の一覧の検索を受け付けたり、特定の患者の特定の検査に関する画像情報の検索を受け付けたりする。ステップＳ２２において、画像要求部４５は、検索で指定された画像情報を画像サーバ装置５へ要求する。ステップＳ２３において、画像サーバ装置５の画像抽出部４１は、該当する画像情報を抽出し、画像閲覧クライアント７に送信する。
【００３７】
ステップＳ２４において、画像閲覧クライアント７の表示制御部４８は、取得した画像情報を表示装置６５に表示する。ステップＳ２５において、入力受付部４９は、ユーザより特定画像としての画像情報にマーカを登録する操作の入力を受け付ける。特定画像は、カンファレンスの対象となる患者の検査に関し画像ＤＢ６（画像システム）に保存された画像情報に基づく画像のうち、後述するカンファレンス画面１２０の画像表示領域１２１に表示する画像として登録された画像である。入力受付部４９は、例えば、閲覧中の患者の検査に関する画像情報の表示画面において準備された、特定画像を選択する機能（メニュー項目や、ボタンなど）から入力を受け付ける。この表示画面においては、撮影された多数の画像情報に基づく画像が表示されており、ユーザはこれらの多数の画像からカンファレンスに必要となる画像を特定画像として選択することで、マーカが登録される。
【００３８】
なお、特定画像を登録する操作の入力は、カンファレンス支援クライアント１３を介して受け付けるようにしてもよい。この場合、例えば図６のカレンダー１００上に表示されたカンファレンス予定情報から特定画像を登録する対象を指定できるようにしてもよい。
【００３９】
ステップＳ２６において、マーカ設定要求部４７は、ユーザのマーカ登録操作に基づいて、画像サーバ装置５にマーカ情報の登録を要求する。画像サーバ装置５のマーカ設定部４２は、画像ＤＢ６のマーカ記憶部４４にマーカ情報を登録する。マーカ情報は、例えば、患者検査情報と、その患者検査情報に関する画像情報のうち特定画像を識別するための情報と、である。
【００４０】
なお、図７の特定画像登録処理は、特定画像を登録する処理の一例であって、後述する図８のカンファレンス画面表示処理において特定画像を抽出可能であれば他の方法であってもよい。
【００４１】
次に、第４の処理であるカンファレンス画面を表示するための処理を説明する。図８は、カンファレンス画面表示処理を説明するためのフローチャートである。このカンファレンス画面表示処理は、主に、カンファレンス支援クライアント１３がユーザよりカンファレンス画面を表示する指示を受け付け、これに基づいてカンファレンス支援サーバ装置１１が画像サーバ装置５およびレポートサーバ装置８に画像情報およびレポート情報を要求し、カンファレンス画面に表示する処理である。
【００４２】
ステップＳ３１において、カンファレンス支援クライアント１３の入力受付部３６は、ユーザよりカンファレンス予定情報の検索を受け付ける。ここでは、図５のステップＳ１１と同様の処理が行われてもよい。ステップＳ３２において、予定情報要求部３１は、検索で指定されたカンファレンス予定情報をカンファレンス支援サーバ装置１１へ要求する。ステップＳ３３において、カンファレンス支援サーバ装置１１の予定管理部２３は、カンファレンス支援ＤＢ１２より該当するカンファレンス予定情報を抽出する。ステップＳ３４において、予定管理部２３は、抽出したカンファレンス予定情報をカンファレンス支援クライアント１３に送信する。ステップＳ３５において、カンファレンス支援クライアント１３の表示制御部３５は、取得したカンファレンス予定情報を表示装置６５に表示する。図９は、カンファレンス支援クライアント１３が表示するカンファレンス予定情報の一例を示す説明図である。カンファレンス支援クライアント１３は、例えばカレンダー１００上における当日の日付を太枠１１０で囲むことにより、ユーザが目的のカンファレンス予定情報を見付ける際の視認性を高めることができる。
【００４３】
ステップＳ３６において、カンファレンス支援クライアント１３の入力受付部３６は、カンファレンス画面の表示対象となるカンファレンス予定情報の選択を受け付ける。例えば、入力受付部３６は、図９のカレンダー１００上の太枠１１０で囲まれた日付のうち「検査日Ｆの患者Ｘ」を選択する操作を受け付けることにより、カンファレンス予定情報の選択を受け付ける。ステップＳ３７において、画像・レポート要求部３２は、対象となるカンファレンス予定情報に関する特定画像として登録された画像情報、およびレポート情報をカンファレンス支援サーバ装置１１に要求する。ステップＳ３８において、カンファレンス支援サーバ装置１１の画像取得部２１は、対象となるカンファレンス予定情報に関する特定画像として登録された画像情報を画像サーバ装置５に要求する。また、レポート取得部２２は、対象となるカンファレンス予定情報に関するレポート情報をレポートサーバ装置８に要求する。
【００４４】
ステップＳ３９において、画像サーバ装置５の画像抽出部４１は、要求された特定画像として登録された画像情報を画像ＤＢ６より抽出し送信する。このとき、画像抽出部４１は、マーカ記憶部４４に記憶されたマーカ情報を参照しながら、画像記憶部４３より特定画像として登録された画像情報のみを抽出し送信する。また、レポートサーバ装置８のレポート抽出部５１は、要求されたレポート情報をレポートＤＢ９より抽出し送信する。このとき、レポート抽出部５１は、レポートＤＢ９（レポートシステム）に保存されたレポート情報のうち、後述するレポート表示領域１２２に表示する情報として予め設定されたレポートの項目に関する情報のみを要求してもよい。予め設定されたレポートの項目は、レポート情報に基づくレポートのうちカンファレンスに必要となる項目であり、ユーザの任意に設定されるのが好ましい。これにより、レポートの全ての項目が表示されるのではなく、ユーザがカンファレンスで必要とする項目のみを表示することができ、カンファレンスを円滑に進行することができる。ステップＳ４０において、カンファレンス支援サーバ装置１１の画像取得部２１およびレポート取得部２２は、取得した画像情報およびレポート情報をカンファレンス支援クライアント１３に送信する。
【００４５】
ステップＳ４１において、カンファレンス支援クライアント１３の表示制御部３５は、画像取得部２１から取得した画像情報に基づく画像、およびレポート取得部２２から取得したレポート情報に基づくレポートを用いて、カンファレンス画面を表示する。図１０は、カンファレンス支援クライアント１３が表示するカンファレンス画面１２０の一例を示す説明図である。カンファレンス画面１２０は、画像表示領域１２１と、レポート表示領域１２２と、コメント作成領域１２３と、を有している。画像表示領域１２１は、画像情報に基づく画像を表示するための領域である。画像表示領域１２１は、画像表示領域１２１に表示する画像として予め登録された特定画像を表示する。また、図１０の画像表示領域１２１の左には、サムネイル表示領域１２４が設けられている。サムネイル表示領域１２４は、特定画像が一覧できるようにサムネイル表示する。なお、画像表示領域１２１およびサムネイル表示領域１２４には、特定画像に限らず、カンファレンス対象となる画像のうち、特定画像以外の画像を表示できるようにしてもよい。レポート表示領域１２２は、レポート情報に基づくレポートを表示するための領域である。
【００４６】
なお、カンファレンス画面１２０は、過去検査表示領域１２５を有していてもよい。過去検査表示領域１２５は、カンファレンス対象の患者の過去の検査に関する情報（過去の検査日など）を表示する。さらに、過去検査表示領域１２５に表示された過去の検査から、閲覧を希望する検査の選択を受け付けることにより、過去の検査に関するレポートおよび画像を表示できるようにしてもよい。
【００４７】
コメント作成領域１２３は、カンファレンス画面１２０が表示されているときに、カンファレンス支援クライアント１３の入力受付部３６がユーザより入力を受け付けた内容をコメントとして表示する領域である。コメント入力受付部としての入力受付部３６は、入力装置６６としてのキーボードやマウスを介してコメントを受け付ける。また、入力受付部３６は、入力装置６６としてのマイクを介してコメントを音声で受け付け、これを文字情報に変換してもよい。カンファレンス支援クライアント１３のコメント作成要求部３４は、入力されたコメントに基づくコメント情報をカンファレンス支援サーバ装置１１に送信する。カンファレンス支援サーバ装置１１のコメント作成要求部２４は、受信したコメント情報に基づいて該当するレポート情報にコメント情報を登録するよう、レポートサーバ装置８のコメント作成部５２に要求する。コメント作成部５２は、受信したコメント情報をレポートＤＢ９のレポート記憶部５４に登録する。
【００４８】
なお、コメント情報は、カンファレンスの対象となったレポート情報に紐付けられるのみならず、将来的に作成されるレポート情報と事後的に紐付けられてもよい。例えば、治療のレポート情報が新規に作成された場合において、この治療のレポート情報が、すでに実施された同一患者の関連する検査のレポート情報に紐付けられたコメント情報を参照可能にするのが好ましい。従来では、検査のレポートに基づいて実施されるカンファレンスにおける議論の内容は、紙媒体やレポートシステムで管理されるデータとは異なる電子データなどで保存されたり、施術者の記憶に頼り管理されたりしていた。このように管理された議論の内容は、治療時に施術者が参照し、または治療のレポート作成時に作成者が治療のレポートに反映させていた。これに対し、上記のように検査のレポートに基づいて実施されたカンファレンスでのコメントを、将来的に作成される治療のレポートでも参照可能（紐付け可能）とすることにより、治療時の情報の確認作業を容易にしたり、治療のレポートの作成時間を短縮したりできる。
【００４９】
図８に戻り、ステップＳ４２において、カンファレンス支援クライアント１３の入力受付部３６は、次の患者の検査に関するカンファレンス画面１２０を表示する指示、または前の患者の検査に関するカンファレンス画面１２０を表示する指示を受け付ける。これら指示は、例えば図１０の「次の」ボタン１３０および「前の」ボタン１３１から受け付けることができる。ここで「次の患者の検査」または「前の患者の検査」は、同時に実施されるカンファレンスの順番の前後に対応している。例えば、１番目の患者のカンファレンスが終了したのち、「次の患者の検査」に関する情報を表示する指示を受け付けると、２番目の患者検査情報が表示される。
【００５０】
ステップＳ４３からステップＳ４７は、ステップＳ３７からステップＳ４１とほぼ同様であるため、ここでは説明を省略する。
【００５１】
なお、ステップＳ４２からステップＳ４７は、全ての患者の検査のカンファレンスが終了するまで、繰り返し実施される。また、同時に実施される患者の検査のカンファレンスが１件のみの場合には、ステップＳ４２からステップＳ４７は実施されない。
【００５２】
また、カンファレンス画面１２０は、図９に示すような一覧表示に戻る機能を有していてもよい。この機能は、例えば図１０の「一覧」ボタン１３２から受け付けることができる。
【００５３】
以上説明したカンファレンス支援システムは、カンファレンスの準備、進行を簡便に行うことができる。すなわち、従来のカンファレンス支援システムは、画像システムに記録された多数の画像から必要な画像だけをスムーズに表示するのが困難であった。これに対し、本実施形態におけるカンファレンス支援システムにおいては、カンファレンス支援システムが画像システムと連携し、特定画像を好適に選択することができるため、カンファレンスの準備を簡便に行うことができる。これにより、カンファレンス時において特定画像のみが表示されるため、カンファレンスをスムーズに進行することができる。
【００５４】
なお、本実施形態におけるカンファレンス支援システムは、さらに以下の機能を有していてもよい。
【００５５】
カンファレンス支援クライアント１３は、ユーザにより起動された際、当日のカンファレンス予定情報の一覧を表示してもよい。また、他の日程のカンファレンス予定情報を参照するために、日付などを指定してカンファレンス予定情報を検索可能とするのが好ましい。
【００５６】
カンファレンス中に、カンファレンス画面１２０に代えて、またはカンファレンス画面１２０と同時に、手術の動画（映像）を再生してもよい。例えば、手技の方法に関する医療教育を、カンファレンスと併せて行うという観点から有効である。手術の動画は、例えば、手術中に部屋全体を撮影したものや、術者の手元を記録する術野カメラで撮影したものである。図７で説明した特定画像登録処理のように、多数の手術の動画からカンファレンスで必要となる動画を特定動画として予め登録しておくようにしてもよい。登録の際には、症例名などで検索することで対象の手術を絞りこめるようにするのが好ましい。また、動画中の特定のフレームを特定フレームとして予め登録してもよい。特定画像同様、特定動画および特定フレームを素早く表示することができるため、カンファレンス中に必要な情報を探し出す時間を軽減することができる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５８】
本発明は、例えば、システム、装置、方法、プログラムまたは記録媒体（記憶媒体）などの実施態様をとることが可能である。具体的には、複数の機器（例えば、ホストコンピュータ、インタフェース機器、撮像装置、ｗｅｂアプリケーションなど）から構成されるシステムに適用してもよい。また、一つの機器から構成される装置に適用してもよい。
【００５９】
また、本発明の目的は、前述した実施形態の機能を実現するソフトウェアのプログラムコード（コンピュータプログラム）を記録した記録媒体を、システムまたは装置に供給し、そのシステムまたは装置のコンピュータ（またはＣＰＵやＭＰＵ）が記録媒体に格納されたプログラムコードを読み出し実行することによっても達成される。この場合、記録媒体から読み出されたプログラムコード自体が前述した実施形態の機能を実現することになり、そのプログラムコードを記録した記録媒体は本発明を構成することになる。
【符号の説明】
【００６０】
２…クライアント装置、３…ネットワーク、４…外部表示装置、５…画像サーバ装置、６…画像データベース（ＤＢ）、７…画像閲覧クライアント、８…レポートサーバ装置、９…レポートデータベース（ＤＢ）、１０…レポートクライアント、１１…カンファレンス支援サーバ装置、１２…カンファレンス支援データベース（ＤＢ）、１３…カンファレンス支援クライアント、２１…画像取得部、２２…レポート取得部、２３…予定管理部、２４…コメント作成要求部、２７…予定記憶部、３１…予定情報要求部、３２…画像・レポート要求部、３４…コメント作成要求部、３５、４８、５７…表示制御部、３６、４９、５８…入力受付部、４１…画像抽出部、４２…マーカ設定部、４３…画像記憶部、４４…マーカ記憶部、４５…画像要求部、４６…予定登録要求部、４７…マーカ設定要求部、５１…レポート抽出部、５２…コメント作成部、５４…レポート記憶部、５５…レポート要求部、５６…予定登録要求部、６１…ＣＰＵ、６２…ＲＯＭ、６３…ＲＡＭ、６４…ＨＤＤ、６５…表示装置、６６…入力装置、６７…ネットワークＩ／Ｆ部、１００…カレンダー、１０１、１０２、１０３、１３０、１３１、１３２…ボタン、１１０…太枠、１２０…カンファレンス画面、１２１…画像表示領域、１２２…レポート表示領域、１２３…コメント作成領域、１２４…サムネイル表示領域、１２５…過去検査表示領域
【図１】
2018185674.tif 000003
【図２】
2018185674.tif 000004
【図３】
2018185674.tif 000005
【図４】
2018185674.tif 000006
【図５】
2018185674.tif 000007
【図６】
2018185674.tif 000008
【図７】
2018185674.tif 000009
【図８】
2018185674.tif 000010
【図９】
2018185674.tif 000011
【図１０】
2018185674.tif 000012